(57)【要約】【課題】  チップ電気泳動法におけるリポタンパク質の種別の分離精度を高めた、新規な方法を提供する。【解決手段】  試験溶液に含まれる比重の異なるリポタンパク質を、チップ電気泳動により分離する、リポタンパク質の分離方法であって、リポタンパク質のチップ流路への吸着を防止する吸着防止工程と、電気泳動に伴ってチップ流路に発生する電気浸透流を減じる工程と、チップ流路にポリマーを配し、リポタンパク質の移動度をその比重に応じて制御する工程と、を含む、リポタンパク質の分離方法とする。リポタンパク質の流路への吸着は、例えば、試験溶液中のリポタンパク質を第１の電荷に帯電させる工程と、チップ電気泳動用のランニングバッファー溶液を第１の電荷に帯電させる工程と、当該バッファー溶液をチップ流路に導入する工程と、を含むことにより防止することができる。【選択図】  図１
2006349381.tif 000002
【特許請求の範囲】
【請求項１】
試験溶液に含まれる比重の異なるリポタンパク質を、チップ電気泳動により分離する、リポタンパク質の分離方法であって、
前記リポタンパク質のチップ流路への吸着を防止する吸着防止工程と、
電気泳動に伴って前記チップ流路に発生する電気浸透流を減じる工程と、
前記チップ流路にポリマーを配し、前記リポタンパク質の移動度を前記リポタンパク質の比重に応じて制御する工程と、
を含む、
リポタンパク質の分離方法。
【請求項２】
前記吸着防止工程が、前記試験溶液中の前記リポタンパク質を第１の電荷に帯電させる工程と、チップ電気泳動用のランニングバッファー溶液を前記第１の電荷に帯電させる工程と、当該帯電させたバッファー溶液を前記チップ流路に導入する工程と、を含む、請求項１に記載のリポタンパク質の分離方法。
【請求項３】
前記第１の電荷が負であり、前記試験溶液にドデシル硫酸ナトリウムを添加して、前記リポタンパク質を負に帯電させる、請求項２に記載のリポタンパク質の分離方法。
【請求項４】
前記電気浸透流を減じる工程が、チップ電気泳動用のランニングバッファー溶液にポリマーを添加する工程と、当該バッファー溶液を前記チップ流路に導入する工程と、を含む、請求項１に記載のリポタンパク質の分離方法。
【請求項５】
前記ポリマーが、ヒドロキシプロピルメチルセルロース、メチルセルロースおよびポリエチレンオキシドからなる群より選ばれた少なくとも１つである、請求項１に記載のリポタンパク質の分離方法。
【発明の詳細な説明】
【技術分野】
【０００１】
本発明は、チップ電気泳動法を用いて、試験溶液に含まれる比重の異なるリポタンパク質を効果的に分離する方法に関する。
【背景技術】
【０００２】
近年、高齢化社会の到来に伴い、高血圧症や心疾患などの生活習慣病の患者数が急速に増大している。血液中のコレステロール（cholesterol）は、血管内壁に堆積して循環器系に大きなダメージを与えるため、高脂血症、冠動脈硬化症、甲状腺機能低下症、閉塞性肝疾患、糖尿病、腎不全などの脂質代謝に影響を及ぼす疾患を引き起こす原因の１つであると考えられている。
【０００３】
それゆえ、生体中（例えば、生体膜や血液中）や食物中のコレステロール量を正確に把握することが、コレステロールに起因する各種疾患の予防や治療方法の方針決定にとって重要となるため、コレステロール量を測定する方法や、その測定に用いる試薬の開発が盛んに行われている。例えば、これまでに、コレステロールとの結合活性に優れたコレステロール酸化酵素やその変異体を、測定用試薬として用いる技術（特許文献１〜５参照）が報告されている。
【０００４】
血液中のコレステロールは、タンパク質と複合体を形成し、リポタンパク質として存在している。このリポタンパク質は、その比重によって、高比重リポタンパク質（high density lipoprotein：ＨＤＬ）、低比重リポタンパク質（low density lipoprotein：ＬＤＬ）、超低比重リポタンパク質（very low density lipoprotein：ＶＬＤＬ）およびキロミクロン（chylomicron）の４種類に分けられる。
【０００５】
コレステロールの血管内壁への堆積を予防するには、ＨＤＬ、ＬＤＬ、ＶＬＤＬおよびリポタンパク質中に存在するトリグリセリドの血中濃度を分離して測定することが重要である。特に、ＨＤＬとＬＤＬとは相反する機能を有しているため、これらを分離して測定することが重要と考えられている。一般に、ＨＤＬは「善玉コレステロール」、ＬＤＬは「悪玉コレステロール」と呼ばれるものであり、ＨＤＬが、血管内壁に堆積したコレステロールを抜き取って肝臓へと運搬するのに対し、ＬＤＬが、肝臓のコレステロールを体の隅々へと運搬する機能を担っている。なお、トリグリセリドの濃度は、ＨＤＬ、ＬＤＬおよびＶＬＤＬの濃度を測定すれば、これに基づいて算出することができる。
【０００６】
ところが、特許文献１〜５に記載の技術では、コレステロールの総量を測定することはできるものの、種別を分離して測定することができないという問題がある。
【０００７】
そこで、リポタンパク質の種別を分離する方法として、超遠心法や、アガロース膜、セルロース、アセテート膜またはポリアクリルアミドゲルの支持体を用いた電気泳動法が提案されている。
【０００８】
しかしながら、超遠心法は、大掛かりな装置を必要とし、さらに、試料の調製、分離に時間がかかるとともに、分離状況を確認する際に試料を細分画する必要があるため、検査作業が煩雑であるという問題がある。
【０００９】
他方、支持体を用いた電気泳動法は、大掛かりな装置を必要とせず、また、溶液中のリポタンパク質の移動度の差を利用することにより分離状況を視覚的に捉えることができるため検査作業を比較的簡易化できるものの、その原理上、電気泳動に伴ってジュール熱の発生が避けられず、発生熱量を一定以下に抑制する必要から、高電場を印加することが難しいため、リポタンパク質の分離にかかる時間が依然として長いという問題がある。
【００１０】
ここで、リポタンパク質の種別の分離速度を高めることを目的に、キャピラリーゾーン電気泳動（ＣＺＥ）やキャピラリー等速電気泳動（ＣＩＴＰ）などのキャピラリー電気泳動法（非特許文献１〜１１参照）や、マイクロチップ電気泳動法（非特許文献１２または１３参照）が提案されている。これらの技術では、リポタンパク質を含む測定溶液を、内容積に対して比率の大きな表面積を有したミクロンオーダーの微小な流路中で泳動させることで、電気泳動時に発生するジュール熱を効率よく放散させることができる。
【特許文献１】特開平１０−０８０３００号公報
【特許文献２】特開平１０−３１１８３３号公報
【特許文献３】特開２００１−２３１５９７号公報
【特許文献４】特開平０８−２４２８６０号公報
【特許文献５】特開２０００−２２４９９９号公報
【非特許文献１】Hu, S.; Dovichi, N. J. Anal. Chem. 2002, 74, 2833-2850
【非特許文献２】Quigley, W. W. C.; Dovichi, N. J. Anal. Chem. 2004, 76, 4645-4658
【非特許文献３】Hu, A. Z.; Gruzado, I. D.; Hill, J. W.; McNeal, C. J.; Macfarlane, R. D. J. Chromatogr. A 1995, 717, 33-39
【非特許文献４】Stocks, J.; Miller, N. E. J. Lipid Res. 1998, 39, 1305-1309
【非特許文献５】Macfarlane, R. D.; Bondarenko, P. V.; Cockrill, S. L.; Cruzado, I. D.; Koss, W.; NcNeal, C. J.; Spiekerman, A. M.; Watkins, L. K. Electrophoresis 1997, 18, 1796-1806
【非特許文献６】Bottcher, A.; Schlosser, J.; Kronenber, F.; Dielinger, H.; Knipping, G.; Lackner, K. J.; Schmitz, G. J. Lipid Res. 2000, 41, 905-915
【非特許文献７】Zorn, U.; Haug, C.; Celik, E.; Wennauer, R.; Schimid-Kotsas, A.; Bachem, M. G.; Grunert, A. Electrophoresis 2001, 22, 1143-1149
【非特許文献８】Zorn, U.; Wofl, C.; Wennauer, R.; Bachem, M. G.; Grunert, A. Electrophoresis 1999, 20, 1619-1626
【非特許文献９】Schmitz, G.; Mollers, C.; Richter, V.; Electrophoresis 1997, 18, 1807-1813
【非特許文献１０】Schmitz, G.; Mollers, C. Electrophoresis 1994, 15, 31-39
【非特許文献１１】Schmitz, G.; Borgman, U.; Assman, G. J. Chromatogr. 1985, 320, 253-262
【非特許文献１２】Weiller, B. H.; Ceriotti, L.; Shibata, T.; Rein, D.; Roberts, M. A.; Lichtenberg, J.; German, J. B.; de Rooij, N. F.; Verpoorte, E. Anal. Chem. 2002, 74, 1702-1711
【非特許文献１３】Ceriotti, L.; Shibata, T.; Folmer, B.; Weiller B. H.; Roberts, M. A.; de Rooij, N. F.; Verpoorte, E. Electrophoresis 2002, 23, 3615-3622
【発明の開示】
【発明が解決しようとする課題】
【００１１】
しかしながら、本発明者らが検討したところ、上記非特許文献１〜１３に記載の技術では、従来の技術に比して電気泳動にかかる時間を短縮できるものの、ＨＤＬおよびＬＤＬに対応した検出シグナルから、それぞれのベースラインを分離することが難しく、リポタンパク質を種別毎に精度良く分離することが容易ではない。
【００１２】
そこで本発明は、チップ電気泳動法におけるリポタンパク質の種別の分離精度を高めた、新規な分離方法を提供することを目的とする。
【課題を解決するための手段】
【００１３】
本発明者らは上記課題を解決すべく鋭意検討を重ねた結果、電気泳動の流路へのリポタンパク質の吸着を防止するとともに、電気泳動に伴う電気浸透流を減じることにより、それぞれのリポタンパク質が固有の電気泳動性を発揮することを見出し、本発明を完成するに到った。
【００１４】
本発明は、試験溶液に含まれる比重の異なるリポタンパク質を、チップ電気泳動により分離する、リポタンパク質の分離方法であって、前記リポタンパク質のチップ流路への吸着を防止する吸着防止工程と、電気泳動に伴って前記チップ流路に発生する電気浸透流を減じる工程と、前記チップ流路にポリマーを配し、前記リポタンパク質の移動度を前記リポタンパク質の比重に応じて制御する工程と、を含む、リポタンパク質の分離方法を提供する。
【発明の効果】
【００１５】
本発明によれば、チップ電気泳動法によるリポタンパク質の種別の分離精度を高めることができ、試験溶液中のリポタンパク質を種別毎に効率よく分離することができる。
【発明を実施するための最良の形態】
【００１６】
本発明のリポタンパク質の分離方法について、図１のフローチャートを参照しながら説明する。
【００１７】
［工程Ｓ１０１：標準試料の前処理］
測定対象の試験溶液（以下、標準試料と呼ぶ場合がある）を前処理する。この前処理工程は、標準試料に含まれるリポタンパク質を正または負に帯電させる工程である。この帯電処理は、例えば、臭化セチルトリメチルアンモニウム（ＣＴＡＢ）などの陽イオン性界面活性剤や、ドデシル硫酸ナトリウム（ＳＤＳ）などの陰イオン性界面活性剤などの帯電性物質を標準試料に添加したり、これらの帯電性物質を含む溶液と標準試料とを混合したりして行うことができる。例えば、０．２ｍＭのＳＤＳを含む３−モルフォリノプロパンスルホン酸（ＭＯＰＳ）溶液と標準試料とを５分間混合させることにより行ってもよい。なお、リポタンパク質は公知の蛍光物質を用いて蛍光標識する。
【００１８】
また、工程Ｓ１０１に並行して、電気泳動用のランニングバッファー溶液を調製する。この調製工程は、工程Ｓ１０１においてリポタンパクを帯電させる電荷（第１の電荷）と同一の電荷に、ランニングバッファー溶液を帯電させる工程である。バッファー溶液としては、チップ電気泳動用の公知のものを用いればよい。例えば、上記ＭＯＰＳや２−モルホリノエタンスルホン酸（ＭＥＳ）などを用いることができる。バッファー溶液の帯電方法としては、上記帯電性物質をバッファー溶液に添加してもよいし、バッファー溶液と上記帯電性物質とを含む溶液とを混合してもよい。また、当該バッファー溶液には、ヒドロキシプロピルメチルセルロース（ＨＰＭＣ）、メチルセルロース（ＭＣ）およびポリエチレンオキシド（ＰＥＯ）からなる群より選ばれた少なくとも１つのポリマーを添加することもできる。例えば、０．２〜１．０ｍＭのＳＤＳと０．０５〜１．０％のＨＰＭＣとを２０〜５０ｍＭのＭＯＰＳ溶液中に含ませてもよい。
【００１９】
［工程Ｓ１０２：標準試料のチャンバーへの添加］
図２に、本実施形態で用いるチップ電気泳動用のチャンバーを示す。このチャンバー２０１には、マイクロオーダーの流路２０６および２０７が設けられている。流路２０６および２０７は互いに直交している。それぞれの流路の端部には、ウエル２０２〜２０５が設けられている。ウエル２０２〜２０５には導電部材が配されており、それぞれのウエルに電圧を印加して正または負の電荷を付与したり、グランド電位をとらせたりすることができる。この工程Ｓ１０２では、前処理後の標準試料をウエル２０２に注入する。
【００２０】
なお、チャンバーの流路２０６および２０７へのバッファー溶液の導入は、標準試料の注入に先んじて行ってもよいし、標準試料の注入ととともに行ってもよい。また、含有させる帯電性物質やポリマーの種類別にバッファー溶液を調製した後に、これを別々に流路に導入してもよいし、一括して導入してもよい。
【００２１】
［工程Ｓ１０３：標準試料のクロスインジェクション］
ウエル２０２とウエル２０４との間に電位差を発生させ、前処理後の標準試料をウエル２０４から流路２０６へと導入する。例えば、標準試料を負に帯電させた場合には、ウエル２０２をグランド電位とし、ウエル２０４に正電荷を付与すればよい。なお、このとき、ウエル２０３および２０５はグランド電位とする。
【００２２】
［工程Ｓ１０４：電気泳動］
ウエル２０２、２０４および２０５と、ウエル２０３との間に電位差を発生させ、流路２０６に満たした標準試料を流路２０７中で電気泳動させる。例えば、標準試料を負に帯電させた場合には、ウエル２０２、２０４および２０５に正電荷を付与し、ウエル２０３をグランド電位とすればよい。電気泳動の条件としては、例えば、印加電圧を５００〜７４０Ｖ、印加電流を３０〜１００ｍＡ、温度を２０〜３０℃とすることができる。
【００２３】
［工程Ｓ１０５：蛍光検出］
流路２０７の所定箇所における蛍光検出を行い、電気泳動開始後の当該測定部位における蛍光強度の時間変化をモニターする。
【００２４】
このような一連の工程によると、試験溶液中のリポタンパク質を第１の電荷に帯電させるとともに、第１の電荷に帯電させたランニングバッファー溶液をチャンバーの流路に導入することにより、図３の概念図で示すように、帯電させたリポタンパク質３０２と流路内壁３０１との間に電気的な斥力を発生させることができるため、リポタンパク質の流路への吸着を防止することができる。また、ＨＰＭＣ、ＭＣ、ＰＥＯなどのポリマーを添加したランニングバッファー溶液をチップ流路に導入することにより、リポタンパク質に対する電気浸透流の影響を軽減することができる。また、上記ポリマーによって分子籠的な効果を発揮させることもできる。すなわち、電気泳動によるリポタンパク質の移動度を制御しうるパラメータを主にその比重に集約させることができるため、リポタンパク質を種別毎に精度良く分離することができる。
【実施例】
【００２５】
以下、実施例に基づいて本発明をより具体的に説明するが、本発明はこれによって限定されない。
【００２６】
（比較例１）
従来のチップ電気泳動法を用いて、ＨＤＬ由来の蛍光シグナルを検出した。まず、日立マイクロチップ電気泳動用チップ（ポリメチルメタクリレート（ＰＭＭＡ））と、以下の３種類のランニングバッファー溶液と、日立チップ電気泳動装置（ＳＶ１１００）とを用いて、ＨＤＬをチップ電気泳動した。印加電圧を１６８Ｖ／ｃｍ、有効電気泳動長を３ｃｍ、励起波長を４７０ｎｍ、測定波長を５８０ｎｍとした。
【００２７】
ランニングバッファー溶液（Ａ）：40 mM tricine, 40 mM meglumine, pH 9.0
ランニングバッファー溶液（Ｂ）：0.5% HPMC in 20 mM borate, pH 9.0
ランニングバッファー溶液（Ｃ）：0.5% MC in 20 mM borate, pH 9.0
なお、電気泳動に先んじて、次のようにして、ＨＤＬを蛍光標識した試験溶液を作製した。まず、２５０μｇの蛍光物質（BODIPY FL C5-ceramide）を５０μＬのジメチルスルホキシド（ＤＭＳＯ）に溶解した後、４５０μＬのエチレングリコールで希釈し、５００μＬの蛍光標識溶液を調製した。次に、２５μＬのＨＤＬ溶液（Biogenesis社、Poole、England、UK）を１７５μＬの精製水で希釈し、さらに５０μＬの上記蛍光標識溶液を加えた後、１分間撹拌した。最後に、この混合溶液を２０００μＬの精製水で希釈した。
【００２８】
この検出結果を図４に示す。いずれのバッファー溶液を用いた場合も、ＨＤＬ由来の蛍光パターンは、ピークがブロードであり、しかもテーリングを有していた。この結果により、従来型のチップ電気泳動法では、複数種のリポタンパク質を対象とした場合に、それぞれの蛍光シグナルを分離した検出が困難になることが示唆された。
【００２９】
（実施例１）
上記実施形態で示したチップ電気泳動法を用いて、ＨＤＬとＬＤＬとに由来した蛍光シグナルを検出した。なお、この実施例１では、０．２ｍＭのＳＤＳを添加することにより、試験溶液中のＨＤＬおよびＬＤＬを負に帯電させた。また、０．３ｍＭのＳＤＳ、０．０５％のＨＰＭＣ、０．５％のＭＣ、０．３２％のＰＥＯを２０ｍＭのＭＯＰＳに添加したランニングバッファー溶液（ｐＨ６．９３）を用いて電気泳動を行った。また、試験溶液は、比較例１で用いたＨＤＬを含む試験溶液と、ＨＤＬ溶液に代えてＬＤＬ溶液（Biogenesis社、Poole、England、UK）を用いて同様に調製した試験溶液と、を等量混合することにより調製した。
【００３０】
この検出結果を図５に示す。この図５から明らかなように、比較例１に比してシャープなピークを有する蛍光パターンを得ることができ、ＨＤＬおよびＬＤＬのそれぞれに由来した蛍光シグナルを精度良く分離して検出することができた。
【００３１】
（実施例２）
上記実施形態で示したチップ電気泳動法を用いて、ＨＤＬ、ＬＤＬおよびＶＬＤＬに由来した蛍光シグナルを検出した。なお、この実施例２では、３種類の試験溶液、すなわち比較例１で用いたＨＤＬを含む試験溶液と、ＨＤＬ溶液に代えてＬＤＬ溶液およびＶＬＤＬ溶液（Biogenesis社、Poole、England、UK）をそれぞれ用いて同様に調製した試験溶液と、を対象として測定を行った。また、０．２ｍＭのＣＴＡＢを添加することにより、それぞれ試験溶液中のＨＤＬ、ＬＤＬおよびＶＬＤＬを正に帯電させた。また、０．３ｍＭのＣＴＡＢ、０．０５％のＨＰＭＣ、０．２７％のＰＥＯを２０ｍＭのＭＥＳに添加したランニングバッファー溶液（ｐＨ６．０２）を用いて電気泳動を行った。
【００３２】
この検出結果を図６に示す。図６で示すように、それぞれの試験溶液から、比較例１に比してシャープなピークを有し、かつテーリングのない（半値幅の狭い）蛍光パターンを得ることができた。また、ＨＤＬおよびＬＤＬのそれぞれに由来した蛍光シグナルにおいては、複数の成分を分離して検出することができた。
【００３３】
（実施例３）
上記実施形態で示したチップ電気泳動法を用いて、比較例１で用いたＨＤＬを含む試験溶液と、ＨＤＬ溶液に代えてＬＤＬ溶液およびＶＬＤＬ溶液をそれぞれ用いて同様に調製した試験溶液と、を等量混合したものを対象として測定を行った。なお、０．３ｍＭのＳＤＳ、０．２７％のＰＥＯを５０ｍＭのＭＯＰＳに添加したランニングバッファー溶液（ｐＨ６．９３）を用いて電気泳動を行った。
【００３４】
この検出結果を図７に示す。この図７から明らかなように、比較例１に比してシャープなピークを有する蛍光パターンを得ることができ、ＨＤＬ、ＬＤＬおよびＶＬＤＬのそれぞれに由来した蛍光シグナルを分離して検出することができた。
【００３５】
（実施例４）
上記実施形態で示したチップ電気泳動法を用いて、比較例１で用いたＨＤＬを含む試験溶液と、ＨＤＬ溶液に代えてＬＤＬ溶液およびＶＬＤＬ溶液をそれぞれ用いて同様に調製した試験溶液と、を等量混合したものを対象として測定を行った。また、０．２ｍＭのＳＤＳを添加して、試験溶液中のＨＤＬ、ＬＤＬおよびＶＬＤＬをそれぞれ負に帯電させた。また、０．３ｍＭのＳＤＳと、０．４〜１．０％の範囲にある種々の濃度のＨＰＭＣと、を２０ｍＭのＭＯＰＳに添加したランニングバッファー溶液（ｐＨ６．９３）を用いて電気泳動を行った。
【００３６】
この検出結果を図８に示す。また、図９にランニングバッファー溶液中のポリマー濃度に対する、リポタンパク質の移動度（モビリティ）の変化を示す。図８で示すように、ＨＰＭＣの濃度を０．８ｍＭとした場合に、３種のリポタンパク質のベースラインを分離できることが判った。また、図９で示すように、ＨＤＬおよびＬＤＬのモビリティは、ランニングバッファー中のポリマー濃度の増加に伴って減少するが、ＨＰＭＣの濃度が０．６％以下の範囲までは、その減少率に線形性が観察されるものの、濃度０．８％を境に減少パターンが変化し、減少率が有意に増大することが判った。このようなリポタンパク質のモビリティの急速な変化を引き起こすポリマー濃度は、チップ電気泳動におけるリポタンパク質の分離精度を高めるに際して非常に重要な濃度であることを示唆するものと考えられる。
【産業上の利用可能性】
【００３７】
本発明は、試験溶液中のリポタンパク質を種別毎に効率よく分離することに適用できる。また、脂質分析にとどまらず、他のタンパク質を対象とした分離解析に応用することも可能である。
【図面の簡単な説明】
【００３８】
【図１】本発明のリポタンパク質の分離方法を示すフローチャートである。
【図２】リポタンパク質の分離に用いるチップ電気泳動用チャンバーにおける、試験溶液の流路への導入作業と、電気泳動作業とを説明するための概念図である。
【図３】本発明のリポタンパク質の分離方法における、電気泳動中のリポタンパク質の流路内での挙動を模式的に示す図である。
【図４】従来のチップ電気泳動法を用いて検出された、リポタンパク質に由来した蛍光シグナルのパターンを示す図である。
【図５】本発明のチップ電気泳動法を用いて検出された、リポタンパク質に由来した蛍光シグナルのパターンの一例を示す図である。
【図６】本発明のチップ電気泳動法を用いて検出された、リポタンパク質に由来した蛍光シグナルのパターンの別例を示す図である。
【図７】本発明のチップ電気泳動法を用いて検出された、リポタンパク質に由来した蛍光シグナルのパターンの別例を示す図である。
【図８】本発明のチップ電気泳動法を用いて検出された、リポタンパク質に由来した蛍光シグナルのパターンの別例を示す図である。
【図９】リポタンパク質の移動度と、ランニングバッファー溶液中のポリマー濃度との関係を説明するための図である。
【符号の説明】
【００３９】
２０１  チップ電気泳動用チャンバー
２０２、２０３、２０４、２０５  ウエル
２０６、２０７  流路
３０１  流路内壁
３０２  帯電させたリポタンパク質
【図１】
2006349381.tif 000003
【図２】
2006349381.tif 000004
【図３】
2006349381.tif 000005
【図４】
2006349381.tif 000006
【図５】
2006349381.tif 000007
【図６】
2006349381.tif 000008
【図７】
2006349381.tif 000009
【図８】
2006349381.tif 000010
【図９】
2006349381.tif 000011